【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
送信端デバイスによって実行されるエンドツーエンド通信のための方法であって、
予め設定されたルールに基づいて制御シグナリングを送信するために用いられるリソースサブセットを決定するステップであって、前記リソースサブセットは、前記制御シグナリング及びデータを送信するために用いられるリソースプールに属し、前記予め設定されたルールは、前記リソースサブセットが特定数量のリソースブロック（ＲＢ）又はリソースエレメントグループ（ＲＥＧ）であることを定義する、ステップと、
前記リソースサブセットにおける前記制御シグナリングの送信位置を決定し、前記送信位置で前記制御シグナリングを送信するステップと、
を含む、方法。
【請求項２】
受信端デバイスによって実行されるエンドツーエンド通信のための方法であって、
予め設定されたルールに基づいて制御シグナリングを送信するために用いられるリソースサブセットを決定するステップであって、前記リソースサブセットは、前記制御シグナリング及びデータを送信するために用いられるリソースプールに属し、前記予め設定されたルールは、前記リソースサブセットが特定数量のリソースブロック（ＲＢ）又はリソースエレメントグループ（ＲＥＧ）であることを定義する、ステップと、
前記リソースサブセットにおいてブラインド制御シグナリング検出を実行するステップと、
を含む、方法。
【請求項３】
前記予め設定されたルールは、前記リソースサブセットが、指定されたリソースセットであることを含む
請求項１又は２に記載の方法。
【請求項４】
制御シグナリングを送信するために用いられるリソースサブセットを決定する前記ステップは、
プリセットパラメータに基づいて前記リソースサブセットを決定するステップを含み、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項１又は２に記載の方法。
【請求項５】
前記制御シグナリング、前記制御シグナリングに用いられる無線ネットワーク一時識別子（ＲＮＴＩ）、又は前記制御シグナリングに用いられるスクランブリングコードが、データタイプ指示情報を含み、前記制御シグナリングが正しく受信された後で、前記方法は、
前記データタイプ指示情報に対応するリソース上でデータを受信するステップをさらに含む、
請求項２に記載の方法。
【請求項６】
前記制御シグナリング及びデータは、同じサブフレームにあり且つ連続しており、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さである
請求項１又は２に記載の方法。
【請求項７】
前記制御シグナリング及びデータは、同じサブフレームにあり且つ連続しており、前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さであり、
前記制御シグナリングが正しく受信された後で、前記方法は、
前記制御シグナリングがＳ０及びＬを含む場合に、Ｓ１＋Ｓ０とＳ１＋Ｓ０＋Ｌとの間のリソース区間内で前記データを受信するステップであって、Ｓ１は、前記制御シグナリングの前記リソースエンド位置である、ステップ、
前記制御シグナリングがＬを含む場合に、Ｓ１＋１とＳ１＋１＋Ｌとの間のリソース区間内で前記データを受信するステップ、又は
前記制御シグナリングがＳ０を含む場合に、Ｓ１＋Ｓ０とＳ１＋Ｓ０＋Ｌとの間のリソース区間内で前記データを受信するステップであって、Ｌは固定値である、ステップ
をさらに含む、
請求項２に記載の方法。
【請求項８】
前記制御シグナリング及びデータは、時分割多重化方式でリソースを共有し、
前記予め設定されたルールは、前記リソースサブセットが、前記データを送信するために用いられるリソースブロック（ＲＢ）ペアにおいて、参照信号によって占有されるシンボルに近接するＮ個のシンボルであることであって、Ｎは１以上である、ことを含む、
請求項１又は２に記載の方法。
【請求項９】
前記制御シグナリング及びデータは、時分割多重化方式でリソースを共有し、前記予め設定されたルールは、前記リソースサブセットが、前記データを送信するために用いられるリソースブロック（ＲＢ）ペアにおいて、参照信号によって占有されるシンボルに近接するＮ個のシンボルであることであって、Ｎは１以上である、ことを含み、
前記制御シグナリングは前記データの長さＬを含み、前記制御シグナリングが正しく受信された後で、前記方法は、
前記データの送信リソースが前記制御シグナリングの送信リソースの周波数よりも高い周波数であるように予め設定されている場合に、前記高い周波数を使用することによって、前記制御シグナリングのリソーススタート位置又はエンド位置で、その長さがＬである前記データを受信するステップ、又は
前記データの送信リソースが前記制御シグナリングの送信リソースの周波数よりも低い周波数であるように予め設定されている場合に、前記低い周波数を使用することによって、前記制御シグナリングのリソーススタート位置又はエンド位置で、その長さがＬである前記データを受信するステップをさらに含む、
請求項２に記載の方法。
【請求項１０】
前記制御シグナリングは、スケジューリングアサインメント（ＳＡ）又はブロードキャストメッセージである
請求項１又は２に記載の方法。
【請求項１１】
前記制御シグナリングは、残りのＲＢペアにおける参照信号識別子を含む、
請求項１０に記載の方法。
【請求項１２】
前記制御シグナリングは、前記リソースサブセットにおけるシンボルの数が２以上のとき、複数の制御シグナリング部分に分割され、前記複数の制御シグナリング部分は、異なるシンボルにそれぞれ配置される、
請求項１〜１１のいずれか１項に記載の方法。
【請求項１３】
予め設定されたルールに基づいて制御シグナリングを送信するために用いられるリソースサブセットを決定するように構成された決定ユニットであって、前記リソースサブセットは前記制御シグナリング及びデータを送信するために用いられるリソースプールに属し、前記予め設定されたルールは、前記リソースサブセットが特定数量のリソースブロック（ＲＢ）又はリソースエレメントグループ（ＲＥＧ）であることを定義する、決定ユニットと、
前記決定ユニットによって決定された前記リソースサブセットにおける前記制御シグナリングの送信位置を決定し、前記送信位置で前記制御シグナリングを送信するように構成された送信ユニットと、
を含む、デバイス。
【請求項１４】
予め設定されたルールに基づいて制御シグナリングを送信するために用いられるリソースサブセットを決定するように構成された決定ユニットであって、前記リソースサブセットは前記制御シグナリング及びデータを送信するために用いられるリソースプールに属し、前記予め設定されたルールは、前記リソースサブセットが特定数量のリソースブロック（ＲＢ）又はリソースエレメントグループ（ＲＥＧ）であることを定義する、決定ユニットと、
前記決定ユニットによって決定された前記リソースサブセットにおいてブラインド制御シグナリング検出を実行する検出ユニットと、
を含む、デバイス。
【請求項１５】
前記予め設定されたルールは、前記リソースサブセットが、指定されたリソースセットであること、を含む、
請求項１３又は１４に記載のデバイス。
【請求項１６】
前記決定ユニットは、
プリセットパラメータに基づいて前記リソースサブセットを決定するように特に構成され、前記プリセットパラメータは、次のパラメータ、即ち、制御シグナリング関連パラメータ、データ関連パラメータ、送信端関連パラメータ、受信端関連パラメータ、及びリソース関連パラメータ、のうちの少なくとも１つである
請求項１３又は１４に記載のデバイス。
【請求項１７】
前記制御シグナリング、前記制御シグナリングに用いられる無線ネットワーク一時識別子（ＲＮＴＩ）、又は前記制御シグナリングに用いられるスクランブリングコードが、データタイプ指示情報を含み、前記デバイスは、
前記データタイプ指示情報に対応するリソース上でデータを受信するように構成された受信ユニットをさらに含む
請求項１４に記載のデバイス。
【請求項１８】
前記制御シグナリング及びデータは、同じサブフレームにあり且つ連続しており、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さである
請求項１３又は１４に記載のデバイス。
【請求項１９】
前記制御シグナリング及びデータは、同じサブフレームにあり且つ連続しており、
前記制御シグナリングはＬを含むか又は前記制御シグナリングはＳ０及び／又はＬを含み、Ｓ０は、前記制御シグナリングのリソースエンド位置と、前記データのリソーススタート位置との間の区間であり、Ｌは前記データの長さであり、
前記デバイスは、
前記制御シグナリングがＳ０及びＬを含む場合には、Ｓ１＋Ｓ０とＳ１＋Ｓ０＋Ｌとの間のリソース区間内で前記データを受信することであって、Ｓ１は、前記制御シグナリングの前記リソースエンド位置であること、
前記制御シグナリングがＬを含む場合には、Ｓ１＋１とＳ１＋１＋Ｌとの間のリソース区間内で前記データを受信すること、又は
前記制御シグナリングがＳ０を含む場合には、Ｓ１＋Ｓ０とＳ１＋Ｓ０＋Ｌとの間のリソース区間内で前記データを受信することであって、Ｌは固定値である、こと
を行うように構成される受信ユニットをさらに含む、
請求項１４に記載のデバイス。
【請求項２０】
前記制御シグナリング及びデータは、時分割多重化方式でリソースを共有し、
前記予め設定されたルールは、前記リソースサブセットが、前記データを送信するために用いられるリソースブロック（ＲＢ）ペアにおいて、参照信号によって占有されるシンボルに近接するＮ個のシンボルであること、を含み、Ｎは１以上である
請求項１３又は１４に記載のデバイス。
【請求項２１】
前記制御シグナリングは、残りのＲＢペアにおける参照信号識別子を含む、
請求項２０に記載のデバイス。
【請求項２２】
前記制御シグナリングは、スケジューリングアサインメント（ＳＡ）又はブロードキャストメッセージである
請求項１３又は１４に記載のデバイス。
【請求項２３】
前記制御シグナリングは、前記リソースサブセットにおけるシンボルの数が２以上のとき、複数の制御シグナリング部分に分割され、前記複数の制御シグナリング部分は、異なるシンボルにそれぞれ配置される、
請求項１３〜２２のいずれか１項に記載のデバイス。